(57)【要約】【課題】赤外線データ放送方式の赤外線送信装置として、一般的な照明装置のように簡単かつ安価に設けられることと、ＰＬＣモデムの内蔵によりネットワークに接続することを実施する方法と手段を提供する。【解決手段】電気及びネットワーク接続を供給する電源線１と、赤外線データ放送方式の送信機能を内蔵する照明装置２と、赤外線信号を受信する携帯情報端末３と、管理サーバ４とを備えている赤外線データ放送の配信システムにおいて、前記の照明装置２は、赤外線データ放送方式の送信機能を有する赤外線送信装置５を組み込んで構成される。【選択図】図１
2007067764.tif 000002
【特許請求の範囲】
【請求項１】
赤外線データ放送方式の赤外線信号を送信する機能をもつ照明装置と、前記の照明装置に配信データを送信する機能と前記の照明装置の動作を管理する機能を有する配信管理サーバと、前記赤外線データ放送方式の赤外線信号を受信する機能をもつ携帯情報端末とを備えることを特徴とする赤外線データ放送のコンテンツ配信システム。
【請求項２】
照明光源と赤外線データ放送方式の赤外線送信装置を組み込んで構成されることを特徴とする照明装置。
【請求項３】
赤外線データ放送方式で情報を配信する方法を有することを特徴とする請求項２の照明装置
【請求項４】
配信情報を記憶する機能をもつ配信情報記憶部と、前記配信情報記憶部の書き込み方法及び入力データの更新方法を備えることを特徴とする請求項２の照明装置。
【請求項５】
ネットワークに接続する機能を提供するＰＬＣモデムと、前記の配信管理サーバとデータ通信を施す手段を提供する通信部とを備えることを特徴とする請求項２の照明装置。
【請求項６】
外部環境を感知する外部環境センサーと、前記の外部環境センサーで感知した外部環境の変化及びその状態に応じた情報を配信する手段を備えることを特徴とする請求項２の照明装置。
【請求項７】
前記の外部環境センサーで感知した外部環境の変化及び状態を示す情報を配信管理サーバに送信する手段を備えることを特徴とする請求項２の照明装置。
【発明の詳細な説明】
【技術分野】
【０００１】
本発明は、赤外線を利用して情報の光空間伝送を行う光空間伝送送信装置とシステム、特に赤外線データ放送の配信機能を搭載する照明装置による情報配信システムの実施手段に関するものである。
【背景技術】
【０００２】
近年、携帯電話を筆頭にＰＨＳや無線ＬＡＮやBluetoothなど通信手段として無線電波を利用するワイヤレスモバイル通信が急速に普及した。しかし、利用者によるアクセスが同時に多発し混在した場合には、基地局の処理能力またはアクセスポイントの処理制限または無線周波数帯域に制限があることから、結局、実質的な接続速度の低下または接続不能の問題が生じている。また、ホットスポットにおいては、無線ＬＡＮなどのモバイル向けアクセスポイントを増加させることで、上記の問題を改善できるが、電波の干渉問題は回避できない。さらに、昨今ワイヤレス高速通信の普及によって、利用できる無線電波資源の限界が認識されつつある。ゆえに、ユビキタス情報社会の実現にとって光空間通信の開拓は大変重要な課題である。このような社会背景において、電波による通信手段ではなく光通信である赤外線通信は、大いに注目すべき新しい通信メディアとなるはずである。
【０００３】
単方向赤外線データ配信方式、即ち、赤外線データ放送方式は、従来のIrDA赤外線通信方式と比べ、高速に、かつ１対不特定多数への配信と長い距離の通信に対応できる方式である。また、赤外線が持つ指向性などの特徴により、空間上の干渉を容易に管理することができ、混信を引き起こすことなく多数の受信エリアを設定することが容易に可能である。
【０００４】
赤外線を用いて空間に情報を伝送する光空間伝送装置としては、従来、発光源からの赤外線を照射する領域の範囲及び形状を予め設定し、その照射領域の範囲及び形状が予め設定された範囲及び形状に合致するように設計された光学系を用いるものがあった。また、この方式では赤外線伝送装置を配置する上で、設置場所の選定や送信装置への配線工事の実施が避けられなかった。
【０００５】
光を利用して光空間通信を行う光空間伝送装置としては、赤外線ＬＥＤモジュールを利用するものやコヒーレントの赤外線光を出す赤外線レーザを利用したものが既に提唱されている（特許文献１、２参照）。
【０００６】
これらはいずれも、照明装置を光空間伝送装置として使用している。例えば、特許文献１には、天井に設置された蛍光管の内部に赤外線発光素子の赤外線ＬＥＤモジュールを組み込み、赤外線により情報を伝送する光空間伝送装置が開示されている。また、特許文献２には、コヒーレント光源の赤外線レーザを利用して、情報を伝送する光情報送信照明装置が開示されている。これらの光空間装置は、既存の照明装置の設置インフラストラクチャを利用して、低コストで光空間伝送装置を設置することができると主張している。
【特許文献１】特開平６−３７７２０号公報
【特許文献２】特開２００４−３１２３９３号公報
【発明の開示】
【発明が解決しようとする課題】
【０００７】
無線電波通信と比べて、赤外線データ放送サービスを提供するには、赤外線送信機、特に赤外線信号を出す投光部の設置場所の選定がとても重要である。赤外線は指向性が鋭く、不可視光であることから、赤外線送信元を明瞭化する必要がある。そこで、照射する領域の範囲及び形状を、予め設定した範囲及び形状と合致させるために用いる光学系として、赤外線送信装置を対象者から明らかに見える場所に設置することが一般的であった。ただし、そのためには新たに特別な配線工事が必要となり、手間とコストの問題が発生する。また、設置場所の外観維持の要求または設置制約条件によっては、設置できないことも想定された。
【０００８】
特許文献１や２の発明では、既存の照明装置との互換に配慮し、上記の課題を解決しようとしている、ただし、特許文献１に示した光空間伝送装置では、照明装置の光源素子である蛍光管に情報送信用発光体の赤外線ＬＥＤモジュールを組み込むこととしているが、蛍光灯内部の高電圧および高温問題や蛍光管の加工の難しさなどの問題がある。また、赤外線ＬＥＤモジュールを駆動する送信装置本体が外付けになることから、蛍光管の口金に赤外線モジュールを駆動する信号用端子の追加が必要になり、従来の照明装置と同じ方法で設置することができない。よって、実際の送信装置本体の設置には新たな配線などの工事が必要になるはずである。
【０００９】
特許文献２に示した照明通信システムでは、ＵＳＢまたはメモリスティックなどの半導体メモリを利用して情報の入力を実現することから、送信装置の小型化が困難であり限界もある、また設置場所によっては、実際にその照明送信装置の配信内容を更新することが容易ではないことも想定される。さらに配信用の光信号として、コヒーレント光を発光する赤外線レーザを利用するので、レーザの特性である非常に鋭い指向性のビームにより極めて狭い受信可能エリアとなり、不特定多数のユーザへのデータ送信の実現はほとんど不可能である。また、レーザを使うことで、人の目に対する安全性の問題がある。さらに、設置場所の環境の変化を感知できる機能を持たないことから、記録された情報を送信するだけに留まり、将来とも外部環境の変化に合わせた情報配信することができない。また、ネットワークへの接続機能を持たないことから、既に普及したネットワークインフラを利用することができず、効率的な送信装置の管理などが困難である。
【００１０】
そこで本発明は、上記の従来の問題を解決すると共に、赤外線データ放送サービスを容易かつ効率的に実現できる赤外線送信装置と関連システムを提供することを課題とするものである。
【課題を解決するための手段】
【００１１】
上記課題を解決するために、本願の第１の発明である赤外線データ放送のコンテンツ配信システムは、赤外線データ放送方式の赤外線信号を送信する機能を有する照明装置と、前記照明装置に配信データを送信する機能と前記照明装置の動作を管理する機能を有する配信管理サーバと、前記赤外線データ放送方式の赤外線信号を受信する機能をもつ携帯情報端末とを備えることを特徴とする。
【００１２】
本願の第２の発明は、第２の発明の前記照明装置が、照明光源と赤外線データ放送方式の赤外線送信装置を組み込んで構成されることを特徴とする。
【００１３】
上記請求項２に記載した本発明の照明装置によれば、赤外線データ放送方式の赤外線送信装置を照明光源をもつ照明装置に内蔵することによって、配線工事不要な赤外線送信装置の設置ができると同時に、照明装置の光を用いて赤外線データ放送の配信源と配信エリアを明瞭化することが可能である。また、照明装置の外観上に赤外線送信装置及び投光部を露出させる必要がなく、設置周辺の美観を損なうことがない。
【００１４】
本願の第３の発明は、第２の発明の前記照明装置が、赤外線データ放送方式で情報を配信する方法を有することを特徴とする。
【００１５】
上記請求項３に記載した本発明の照明装置によれば、赤外線データ放送方式の赤外線信号を送信することによって、配信エリアにある不特定多数の携帯情報端末が、同時にかつ高速に配信情報を受信することができる。
【００１６】
本願の第４の発明は、第２の発明の前記照明装置が、配信情報を記憶する機能をもつ配信情報記憶部と、前記配信情報記憶部の書き込み方法及び入力データの更新方法を備えることを特徴とする。
【００１７】
上記請求項４に記載した本発明の照明装置によれば、配信データについて、事前書き込みの方法またはネットワークによる入力データ更新の方法が設けられ、配信データの更新を実現することができる。
【００１８】
本願の第５の発明は、第２の発明の前記照明装置が、ネットワークに接続する機能を提供するＰＬＣモデムと、前記配信管理サーバとデータ通信を施す手段を提供する通信部とを備えることを特徴とする。
【００１９】
上記請求項５に記載した本発明の照明装置によれば、前記照明装置に内蔵されるＰＬＣモデムは、電力線コンセントに接続できることから、安価にかつ簡便にネットワークへの接続が可能になる。PLCモデムを、構築したネットワークへ接続させることで、前記配信管理サーバは前記ネットワークを介して、前期照明装置の管理及び配信データの送信を実現することができる。
【００２０】
本願の第６の発明は、第２の発明の前記照明装置が、外部環境を感知する外部環境センサーと、前記外部環境センサーで感知した外部環境の変化及びその状態に応じた情報を配信する手段を備えることを特徴とする。
【００２１】
上記請求項６に記載した本発明の照明装置によれば、前記照明装置に内蔵される外部環境センサーが設けられることによって、前記照明装置の設置現場における環境変化に応じた情報配信を実現することができる。
【００２２】
本願の第７の発明は、第２の発明の前記照明装置が、前記外部環境センサーで感知した外部環境の変化及び状態を示す情報を前記配信管理サーバに送信する手段を備えることを特徴とする。
【００２３】
上記請求項７に記載した本発明の照明装置によれば、前記PLCモデムのネットワーク接続機能によって、前記照明装置に内蔵される外部環境センサーが感知した照明装置の設置現場における環境変化などの情報を前記配信管理サーバへ送信して、設置場所の環境を監視する機能を実現することができる。
【発明の効果】
【００２４】
以上説明したように、本発明の赤外線データ放送方式の送信機能をもつ送信装置を内蔵する照明装置によれば、赤外線データ放送による情報配信サービスを提供することを簡単かつ安価で実現することが可能になる。さらに、赤外線データ放送の送信装置と照明装置の融合によってできた本発明の照明装置では、配線工事不要な赤外線送信装置の設置ができると同時に、照明装置の光を用いて赤外線データ放送の配信源と配信エリアを明瞭化することが可能である。
【００２５】
赤外線データ放送の送信装置を、設置場所や設置条件に自由に適合させられる照明手段を有する照明装置の内部に組み込んで構成することで、照明装置の理想的な設置場所を選択することを妨げず、かつ同時に赤外線データ放送の送信装置を設けることができる。このため、多種多様な照明装置の設置環境を生かしたまま、赤外線データ放送に必要な環境を簡便に得ることができる。また、照明装置の外観上に赤外線送信装置及び投光部を露出させる必要がなく、設置周辺の美観を損なうことがない。加えて照明装置自身の可視光によって、赤外線データ放送の発信源および赤外線データ放送の受信エリアが感知できるようになり、より快適な赤外線データ放送の受信環境を実現することができる。さらに、赤外線送信装置と照明光源を一緒にすることで、赤外線の人の目に対する安全性確保の課題を解決することができる。
【００２６】
照明装置に内蔵されるＰＬＣモデムは、電力線コンセントに接続できることから、安価にかつ簡便にネットワークへの接続が可能になる。PLCモデムを、構築したネットワークへ接続させることで、配信管理サーバは前記ネットワークを介して、赤外線データ放送機能をもつ照明装置を管理することが可能になる。PLCモデムのネットワーク接続機能によって、照明装置に内蔵される外部環境センサーが感知した照明装置の設置現場における環境変化などの情報を配信管理サーバへ送信することが可能になる。つまり、照明装置は照明器具としてばかりではなく、情報配信と情報収集機能を持った多機能端末に変身するのである。
【００２７】
本発明の赤外線データ放送方式の送信機能をもつ送信装置を内蔵する照明装置を利用することによって、データ受信対象人数が特定できない、例えば旅行者向け町の案内情報配信、災害時の避難情報配信、商業施設の販売情報配信など様々な用途において、受信対象者に不通のストレスを与えることなく運用することができる。
【発明を実施するための最良の形態】
【００２８】
以下，本発明の実施形態について，図面を参照して説明する。図１は本発明に係る赤外線データ放送の配信機能をもつ照明装置及び前記照明装置を用いる赤外線データ放送配信システムの基本構成を示すブロック図である。ただし、これは単に本発明をより分かり易く説明するためのものであるから、かならずしも本発明の応用を限定するものではない。
【００２９】
図１http://www8.ipdl.ncipi.go.jp/Tokujitu/tjitemdrw.ipdl?N0000=235&N0500=1E_N/;?9?<88=?///&N0001=59&N0552=9&N0553=000003は本発明に係る赤外線データ放送方式の送信機能を内蔵する照明装置を利用するコンテンツ配信システムの一実施例を示す図である。図１の赤外線データ放送のコンテンツ配信システムは、電源及びネットワーク接続回線を供給する電源線１と、赤外線データ放送方式で情報を配信する機能と照明機能を備える照明装置２と、赤外線データ放送方式の赤外線信号を受ける携帯情報端末３と、前記照明装置２への配信データの提供及び前記照明装置２の動作管理を行う配信管理サーバ４とを備えている。
【００３０】
前記照明装置２は、照明用光源であるとともに、赤外線データ放送方式で情報を送信する機能ももつ。前記照明装置２は、赤外線データ放送方式で情報配信機能を有する赤外線送信装置５と照明光を提供する照明光源１０とを有する。
【００３１】
前記赤外線送信装置５は、送信情報の記憶と制御機能をもつ赤外線送信制御部６と、赤外線データ放送方式の赤外線信号を受ける携帯情報端末３に赤外線信号を出す赤外線投光部９と、電力線ネットワーク接続を提供するPLCモデム７と、照明装置２の設置場所の温度、振動などの外部環境を感知する外部環境センサー８と、照明光を提供する照明光源部１０とを有する。
【００３２】
赤外線送信制御部６は、より詳しくは、図２のような内部構成であり、配信データの入力及びデータ通信機能を備える通信部１１と、配信情報データを記録する配信情報記憶部１２と、配信データの選択や赤外線データ放送方式に従うパケットの生成や物理層の構成に合う変調処理を行う配信情報処理部１３と、赤外線投光部９の赤外線LEDなど赤外線発光素子に駆動電流を提供する駆動回路１４とを有する。
【００３３】
照明光源部１０は、既存の蛍光灯や電球や照明用LEDなど明かりを提供するものをだけではなくて、誘導灯のような発光型標識でもよい。
【００３４】
ネットワーク２００に接続される配信管理サーバ４は、ネットワーク２００とPLCモデム７と電力線１を介して、赤外線送信装置５とデータ通信を行うことが可能になるから、前記赤外線送信制御部６へ配信データと配信スケジュールのような配信方法を送信し、前記赤外線送信制御部６に前記配信データと配信スケジュールなどを記憶させる。
【００３５】
前記配信管理サーバ４は、ネットワーク２００とPLCモデム７と電力線１を介して、赤外線送信装置５の通信によって、照明装置２の赤外線データ放送の情報配信を制御することができ、さらに、照明装置２からの配信状況及び環境センサー８で感知した照明装置設置場所の環境情報を受信できる。
【００３６】
配信情報処理部１３は、配信情報記憶部１２に記録された配信情報データを読み出し、更に赤外線データ放送方式のパケットに変換し、赤外線投光部９の赤外線LED発光体を駆動する駆動電流を発生する駆動回路１４を介して、配信情報データに対応する電流信号を赤外線投光部９の赤外線LEDなどの赤外線発光素子に発信させる。
【００３７】
前記図１に示すシステムについて、配信管理サーバ４は同時に複数のＰＬＣモデム７を内蔵する照明装置２を管理することができる。
【００３８】
前記図１に示すシステムについて、場合によっては、ネットワーク通信機能に関する配信管理サーバ４とPLCモデム７とを外して、図1と図2の配信情報記憶部１２と配信情報処理部１３と駆動回路１４とから構成される前記赤外線送信制御部６と、赤外線投光部９と、照明光源部１０とだけを備える前記照明装置２及び携帯情報端末３から構成される最小システムの構成が可能になる。
【００３９】
前記図１に示すシステムにおいて、携帯情報端末３の外観形状としては、携帯電話やデジタル時計、デジタル音楽プレーヤーやＰＤＡなどがある。
【実施例１】
【００４０】
図３は、本発明の最小基本構成を基にする赤外線データ放送の配信機能をもつ電球の実施例を示すブロック図である。
【００４１】
図３に示される前記電球１００は、電源線１と、口金２１と、赤外線送信制御部６と、赤外線LEDで構成される赤外線投光部９と、赤外線送信制御部５へ直流電源を提供する電源回路２２と、照明発光部２５と、照明発光部２５を駆動する電圧及び電流を提供する照明駆動回路２４とより構成される。
【００４２】
赤外線送信制御部６は、配信情報記憶部１２として、配信情報データ及び配信スケジュールを事前に記録するメモリのROM部２３を有する。ROM部２３として、書き換えできるタイプのメモリを利用しても構わない。
【００４３】
赤外線送信制御部６は、ROM部２３から配信データを読み出して、赤外線データ放送方式に応じて、配信データを赤外線データ放送方式のパケットに変換し、赤外線LEDで構成される赤外線投光部９へ送信する。
【００４４】
赤外線送信制御部６は、既に赤外線データ放送方式のパケット形式でＲＯＭ部２３に記憶される配信データについて、上記のパケットデータ変換を実施しないこともありえる。
【００４５】
口金２１は一般的に普及している既存の照明電球の口金と同じなので、既存の照明用電球と交換するだけで、照明だけではなくて、赤外線データ放送の配信領域を構築することができる。また、前記口金２１を介して、照明用と赤外線データ放送用の電気を提供することができる。
【実施例２】
【００４６】
図４は、図３に示す実施例１にネットワーク通信機能を追加した赤外線データ放送の配信機能をもつ電球の実施例を示すブロック図である。
【００４７】
図４に示される前記電球１１０は、電源線１と、口金２１と、赤外線送信制御部６と、赤外線LEDで構成される赤外線投光部９と、電力線ネットワークの接続を提供するPLCモデム７と、赤外線送信制御部６へ直流電源を提供する電源回路２２と、照明発光部２５と、照明発光部２５を駆動する電圧及び電流を提供する照明駆動回路２４とより構成される。
【００４８】
赤外線送信制御部６は、前記配信管理サーバ４とデータ通信を行う機能を備える前記通信部１１を有する。
【００４９】
赤外線送信制御部６は、PLCモデム７と通信部１１とを介して、配信管理サーバ４と通信することができ、配信管理サーバ４から配信データを受信し、赤外線送信制御部６に受信したデータを記憶する。
【００５０】
赤外線送信制御部６は、配信管理サーバ４との通信によって、配信管理サーバ４の制御を受けることと、配信管理サーバ４へ配信状態など情報を送信することとの機能を有する。
【００５１】
赤外線送信制御部６は、配信情報記憶部１２に保存される配信スケジュールにより、赤外線送信制御部６に保存される配信データを読み出し、赤外線データ放送方式に対応するパケットデータに変換し、赤外線LEDで構成される赤外線投光部６へ送信する。
【００５２】
赤外線送信制御部６は、既に赤外線データ放送方式のパケット形式で配信情報記憶部１２に記憶される配信データについて、上記のパケットデータ変換を実施しないこともありえる。
【実施例３】
【００５３】
図５は，本発明の基本構成を基にする赤外線データ放送の配信機能をもつ誘導照明装置の実施例を示すブロック図である。
【００５４】
図５に示される前記誘導照明装置１２０は、電源線１と、赤外線送信制御部６と、赤外線LEDで構成される赤外線投光部９と、赤外線送信制御部６に直流電源を提供する電源回路３１と、照明発光部３４と、照明発光部３４を駆動する電圧及び電流を提供する照明駆動回路３３と、電源線１から電気が供給されない時に誘導照明と赤外線データ放送の情報配信を維持するための充電回路と充電電池３２とより構成される。
【００５５】
赤外線送信制御部６は、前記配信情報記録部１２として、配信情報データ及び配信スケジュールを事前に記録するメモリのROM部３２を有する。ROM部３２について、書き換えできるタイプのメモリを利用しても構わない。
【００５６】
赤外線送信制御部６は、ROM部２３に保存される配信スケジュールにより、ROM部２３に記録される配信データを読み出し、赤外線データ放送方式に対応するパケットデータに変換し、赤外線LEDで構成される赤外線投光部９へ送信する。
【００５７】
赤外線送信制御部６は、既に赤外線データ放送方式のパケット形式でＲＯＭ部２３に記憶される配信データについて、上記のパケットデータ変換を実施しないこともありえる。
【００５８】
充電回路と充電電池３３は、電源線１から電気の供給が受けられない時、誘導照明の提供と誘導情報の配信を維持するための予備電源として、電力を供給する機能を有する。
【００５９】
電源回路３１と照明駆動回路３３は、電源線１及び充電回路と充電電池３３からの電力入力に対応できる機能を備える。
【実施例４】
【００６０】
図６は，実施例４に通信機能を追加した赤外線データ放送の配信機能をもつ誘導照明装置の実施例を示すブロック図である。
【００６１】
図６に示される前記誘導照明装置１３０は、電源線１と、赤外線送信制御部６と、ネットワーク接続を提供するPLCモデム７と、赤外線LEDで構成される赤外線投光部９と、赤外線送信制御部６に直流電源を提供する電源回路３１と、照明発光部３４と、照明発光部３４を駆動する電圧及び電流を提供する照明駆動回路３３と、電源線１から電気を供給できないときに誘導照明と赤外線データ放送のための充電回路と充電電池３２とより構成される。
【００６２】
赤外線送信制御部６は、前記配信管理サーバ４とデータ通信を行う機能を備える前記通信部１１を有する。
【００６３】
赤外線送信制御部６は、PLCモデム７と通信部１１とを介して、配信管理サーバ４と通信することができ、配信管理サーバ４から配信データを受信し、赤外線送信制御部６に受信したデータを記憶する。
【００６４】
赤外線送信制御部６は、配信管理サーバ４との通信によって、配信管理サーバ４の制御を受けることと、配信管理サーバ４へ配信状態など情報を送信することとの機能を有する。
【００６５】
赤外線送信制御部６は、配信情報記憶部１２に保存される配信スケジュールにより、配信情報記憶部１２に保存される配信データを読み出し、赤外線データ放送方式に対応するパケットデータに変換し、赤外線LEDで構成される赤外線投光部９へ送信する。
【００６６】
赤外線送信制御部６は、既に赤外線データ放送方式のパケット形式で配信情報記憶部１２に記憶される配信データについて、上記のパケットデータ変換を実施しないこともありえる。
【００６７】
充電回路と充電電池３３は、電源線１から電気が供給されないとき、誘導照明の提供と誘導情報の配信を維持するための予備電源として電力供給する機能を有する。
【００６８】
電源回路３１と照明駆動回路３３は、電源線１及び充電回路と充電電池３３からの電力入力に対応できる機能を備える。
【実施例５】
【００６９】
図７は，実施例３に外部環境センサーを追加する赤外線データ放送の配信機能をもつ避難案内照明装置の実施例を示すブロック図である。
【００７０】
図７に示される前記避難案内照明装置１４０は、電源線１と、赤外線送信制御部６と、赤外線LEDの赤外線投光部９と、赤外線送信制御部５へ直流電源を提供する電源回路３１と、照明発光部３４と、照明発光部３４を駆動する電圧及び電流を提供する照明駆動回路３３と、電源線１から電気を供給できないときに照明用途と赤外線データ配信の機能を維持するための充電回路と充電電池３２と、外部環境の変化を感知する外部環境センサー８とより構成される。
【００７１】
外部環境センサー８は、例えば、外部の振動、温度など環境的な変動と状態を感知する機能を備える。外部環境センサーから出力される外部環境変化及び状態を示す信号によって、赤外線送信制御部６は前記外部環境変化及び状態に応じる情報を配信することが可能になる。
【００７２】
赤外線送信制御部６は、ROM部２３に保存される配信スケジュール及び外部環境センサー８からの外部環境の変化及び状態に係る情報により、ROM部２３から必要な配信データを読み出し、赤外線データ放送方式に対応するパケットデータに変換し、赤外線LEDで構成される赤外線投光部９へ送信する。
【００７３】
赤外線送信制御部６は、既に赤外線データ放送方式のパケット形式で配信情報記憶部１２に記憶される配信データについて、上記のパケットデータ変換を実施しないこともありえる。
【００７４】
充電回路と充電電池３３は、電源線１から電気が供給されないとき、誘導照明の提供と誘導情報の配信を維持するための予備電源として電力を供給する機能を有する。
【００７５】
電源回路３１と照明駆動回路３３は、電源線１及び充電回路と充電電池３３からの電力入力に対応できる機能を備える。
【実施例６】
【００７６】
図８は，本発明の基本構成を基にする赤外線データ放送の配信機能と現場情報収集機能をもつ多機能照明装置の実施例を示すブロック図である。
【００７７】
図８に示される前記多機能照明装置１５０は、電源線１と、赤外線送信制御部６と、赤外線LEDで構成される赤外線投光部９と、電源線ネットワーク接続機能を提供するＰＬＣモデム７と、外部環境の状態及び変化を感知する外部環境センサー８と、赤外線送信制御部５へ直流電源を提供する電源回路２２と、照明発光部２５と、照明発光部２５を駆動する電圧及び電流を提供する照明駆動回路２４とより構成される。
【００７８】
赤外線送信制御部６は、前記配信管理サーバ４とデータ通信を行う機能を備える前記通信部１１を有する。
【００７９】
赤外線送信制御部６は、PLCモデム７と通信部１１とを介して、配信管理サーバ４と通信することができ、配信管理サーバ４から配信データを受信し、赤外線送信制御部６に受信したデータを記憶する。
【００８０】
赤外線送信制御部６は、配信管理サーバ４との通信によって、配信管理サーバ４の制御を受けることと、配信管理サーバ４へ配信状態など情報を送信することとの機能を有する。
【００８１】
外部環境センサー８は、例えば、外部の振動、温度など環境的な変動と状態を感知する機能を備える。外部環境センサー８から出力される外部環境変化及び状態を示す信号によって、赤外線送信制御部６は前期の外部環境変化及び状態に応じる情報を配信することが可能になる。
【００８２】
配信管理サーバ４は、PLCモデム７と通信部１１とを介して、外部環境センサー８で感知した外部環境の変化及び状態を示す情報を収集することができる。
【００８３】
赤外線送信制御部６は、配信情報記憶部に保存される配信データと配信スケジュール及び外部環境センサー８からの外部状況により、赤外線データ放送方式に応じて、配信データを赤外線データ放送方式のパケットに変換し、赤外線LEDの赤外線投光部９へ送信する。
【００８４】
多機能照明装置１５０は、照明機能と、赤外線データ放送による情報配信機能と、現場の環境情報を収集する機能をもつ多機能端末として利用できる。
【図面の簡単な説明】
【００８５】
【図１】本発明の基本実施形態におけるシステム構成を示す図である。
【図２】赤外線送信制御部を示す図である。
【図３】実施例１の実施形態を示す図である。
【図４】実施例２の実施形態を示す図である。
【図５】実施例３の実施形態を示す図である。
【図６】実施例４の実施形態を示す図である。
【図７】実施例５の実施形態を示す図である。
【図８】実施例６の実施形態を示す図である。
【符号の説明】
【００８６】
１            電源線
２            照明装置
３            携帯情報端末
４            配信管理サーバ
５            赤外線送信装置
６            赤外線送信制御部
７            ＰＬＣモデム
８            外部環境センサー
９            赤外線投光部
１０            照明光源部
１１            通信部
１２            配信情報記憶部
１３            配信情報処理部
１４            駆動回路
１１            充電回路
１２            充電電池
２１            口金
２２            電源回路
２３            ROM部
２４            照明駆動回路
２５            照明発光部
３１            電源回路
３２            充電回路と充電電池
３３            照明駆動回路
３４            照明発光部
１００            実施例１の電球
１１０            実施例２の電球
１２０  実施例３の誘導照明装置
１３０            実施例４の誘導照明装置
１４０            実施例５の誘導照明装置
１５０            実施例６の多機能照明装置
２００            ネットワーク
ＰＬＣ            高速電力線通信 (Power Line Communication)
【図１】
2007067764.tif 000003
【図２】
2007067764.tif 000004
【図３】
2007067764.tif 000005
【図４】
2007067764.tif 000006
【図５】
2007067764.tif 000007
【図６】
2007067764.tif 000008
【図７】
2007067764.tif 000009
【図８】
2007067764.tif 000010